【事件の表示】
　特願２０１３−２２９２９２「ビデオ信号を表示のために処理する方法及び装置」拒絶査定不服審判事件〔平成２６年　６月　５日出願公開、特開２０１４−１０３６６３〕について、次のとおり審決する。
【結　論】
　本件審判の請求は、成り立たない。
【理　由】
第１．経緯
１．手続
　本願は、平成２５年１１月５日（パリ条約による優先権主張２０１２年１１月２０日、米国）の出願であって、平成２６年１０月２２日（起案日）付けで拒絶の理由が通知され、それに応答して平成２７年４月２４日付けで手続補正がなされたが、平成２７年１１月６日（起案日）付けで拒絶査定がなされた。
　本件は、上記拒絶査定を不服として平成２８年３月１１日付けで請求された拒絶査定不服審判である。
２．査定
　原査定の理由は、概略、以下のとおりである。
　本願の請求項１ないし４，６ないし１５に係る発明は、下記刊行物１，２，４ないし６に記載された発明、及び本願の請求項５に係る発明は、下記刊行物１ないし６に記載された発明に基いて当業者が容易に発明をすることができたものであるから、特許法第２９条第２項の規定により、特許を受けることができない。
　　　　　　記（引用文献）
　引用文献１：特開２００７−１３５１５８号公報
　引用文献２：特開２０１０−１０７９０９号公報
　引用文献３：特開平７−１０７４１０号公報
　引用文献４：特開２００７−２８２０８２号公報
　引用文献５：特開２０１１−２０５７０９号公報
　引用文献６：特開２００１−４５４４４号公報
第２．本願発明
　本願の請求項１ないし１５に係る発明は、平成２７年４月２４日付けの手続補正によって補正された明細書、特許請求の範囲、及び図面の記載からみて、それぞれ、その特許請求の範囲の請求項１ないし１５に記載した事項により特定されるとおりのものであると認められるところ、そのうち、請求項７に係る発明（以下「本願発明」という。）は、下記のとおりである。
　なお、本願発明の各構成の符号は、説明のために当審において付与したものであり、以下、構成（Ａ）、構成（Ｂ）などと称する。
（本願発明）
（Ａ）コンピュータにより実施される方法であって、
（Ｂ）生成される表示のアスペクト比と第１のコンテンツのアスペクト比の差異の少なくとも１つに基づいて複数の未利用領域を検出するステップと、
（Ｃ）前記検出に基づいて、前記複数の未利用領域を統合して統合領域を形成するステップと、
（Ｄ）前記統合領域と、前記第１のコンテンツに関連する第１のコンテンツ領域とを有する出力ビデオ信号を生成するステップと、
（Ｅ）前記統合領域の利用に関連する１又はそれ以上のルールを定義するステップと、
（Ｆ）前記１又はそれ以上のルールに基づいて、前記統合領域に第２のコンテンツを関連付けるステップと、
（Ｇ）前記第２のコンテンツに関連する前記統合領域のサイズに基づいて、前記第１のコンテンツ領域のサイズをスケール調整するステップと
（Ｈ）を含むことを特徴とする方法。
第３．当審の判断
１．引用文献の記載事項
（１）引用文献１
　原査定において引用された引用文献１である特開２００７−１３５１５８号公報には、「番組情報表示装置及び方法」（発明の名称）に関し、図面と共に次に掲げる事項が記載されている。
　なお、下線は強調のために当審で付したものである。
【０００５】
　本発明は、上述のごとき実情に鑑みてなされたものであり、
もともと映像の表示領域ではない黒帯部分に番組に関する情報（あらすじなど）を表示可能とし、番組の視聴を妨げることなく、各種の番組情報を表示できるようにした番組情報表示装置及び該装置を用いた番組情報表示方法を提供する
【００３３】
　
本発明の番組情報表示装置１０は、テレビジョン放送受信装置以外にも、パーソナルコンピュータ（ＰＣ）
などのテレビチューナを内蔵あるいは外部接続可能な情報処理装置全般に適用され、表示画面のサイズとアスペクト比が異なる放送信号を表示可能とする。
【００３８】
　
ＣＰＵ（表示制御部）１８は、全体の処理を司り、黒帯部分の表示制御や、番組の録画予約や視聴予約等の処理を行い、さらには、上記取得した番組情報の表示制御や、通信制御部２７の処理などを行う。
ＣＰＵ１８は、放送信号から映像信号と黒帯部分の境界線を検知し、境界線が検知された場合に黒帯部分が含まれていると判定する。
【００３９】
　
上記映像信号と黒帯部分の境界線を検知する方法としては大きく２つあり、
【００４０】
　
第２に、デジタル放送信号に含まれるディスプレイエクステンション情報に基づいて映像信号のサイズを特定し、特定した映像信号以外の部分を黒帯部分と判定する。
【００４５】
　
ＣＰＵ１８は、放送信号に黒帯部分が存在するかどうかを判定し、
黒帯部分に番組情報を表示するかどうかを決定する処理を行う。
番組情報を黒帯部分に表示させるかどうかを、ユーザによって選択可能としてもよい。
【００４６】
　また、
表示部２２の表示画面の上下左右に表示される黒帯部分に対して、どの黒帯部分にどの情報を表示させるかを、ユーザにより設定できるようにしてもよい。これは、例えば、後述の図８に示す設定画面を表示させて設定できるようにする。
【００５０】
　図４は、
本発明による番組情報表示装置１０において、上下部分に黒帯部分が存在する場合に、黒帯部分を画面上部のみにまとめて表示し、上部黒帯部分に文字や画像等を表示させる表示画面の一例を示す
表示画面１００の上下に表示されるべき黒帯部分をすべて放送番組１０２の上側（画面上部）に表示することにより、一度に表示できる領域を広くして画像情報および文字情報を同じ黒帯部分１０１に表示している状態を示す。
【００５１】
　図５は、
本発明による番組情報表示装置１０において、上下部分に黒帯部分が存在する場合に、黒帯部分を画面下部のみにまとめて表示し、下部黒帯部分に文字や画像等を表示させる表示画面の一例を示す
表示画面１００の上下に表示されるべき黒帯部分をすべて放送番組１０２の下側（画面下部）に表示することにより、一度に表示できる領域を広くして画像情報および文字情報を同じ黒帯部分１０１に表示している状態を示す。
【００５２】
　図６は、
本発明による番組情報表示装置１０において、左右部分に黒帯部分が存在する場合に、黒帯部分を画面左部のみにまとめて表示し、左部黒帯部分に文字や画像等を表示させる表示画面の一例を示す
表示画面１００の左右に表示されるべき黒帯部分をすべて放送番組１０２の左側（画面左部）に表示することにより、一度に表示できる領域を広くして画像情報および文字情報を同じ黒帯部分１０１に表示している状態を示す。
【００５３】
　図７は、
本発明による番組情報表示装置１０において、左右部分に黒帯部分が存在する場合に、黒帯部分を画面右部のみにまとめて表示し、右部黒帯部分に文字や画像等を表示させる表示画面の一例を示す
表示画面１００の左右に表示されるべき黒帯部分をすべて放送番組１０２の右側（画面右部）に表示することにより、一度に表示できる領域を広くして画像情報および文字情報を同じ黒帯部分１０１に表示している状態を示す。
【００５４】
　図８は、
本発明による番組情報表示装置１０において、黒帯部分の情報表示内容を設定するための設定画面の一例を示す図で、図中、２００は黒帯部分の情報設定画面を示す。まず、情報設定画面２００には、黒帯部分が存在する位置毎に設定するための設定項目２０１として「左右設定」、「上下設定」、「上下左右設定」が表示される。ここで例えば「左右設定」を選択決定すると、画面の左右のどこに黒帯部分を表示するかどうかを設定するための設定項目２０２が表示され、設定項目２０２には「左右両方に表示」、「左のみに表示」、「右のみに表示」、「表示しない（ワイド）」の項目が表示される。
【００５５】
　
設定項目２０２において「表示しない（ワイド）」以外の項目を選択すると、詳細の設定項目２０３が表示される。この詳細設定項目２０３には、現在設定されている項目２０４（ここでは、情報連動、文字と画像、あらすじ情報が設定されている）が表示される。
（２）引用文献４
　同じく原査定において引用された引用文献４である特開２００７−２８２０８２号公報には、「デジタル放送受信装置」（発明の名称）に関し、図面と共に次に掲げる事項が記載されている。
【０００８】
　本発明は、前記従来の課題を解決するもので、第１には多画面表示中における緊急放送の文字スーパーの見易さを向上させ、第２には多画面表示中におけるいかなる映像を視聴中にも緊急放送の文字スーパーの見易さを向上させるデジタル放送受信装置を提供することを目的とする。
【００１１】
　本構成によって、取得した緊急放送情報に基づいて文字スーパーを重畳した画面のアスペクト比若しくは縮尺率を制御して変更可能とすることで、緊急放送を受信した時に文字スーパーを自動的に拡大表示させることが最も主要な特徴となる。
【００２９】
　また、映像合成部１１０に対し、例えば主映像を画面の右側（副画面）に、副映像を画面の左側（主画面）に多画面表示するよう指示を出す。チューナ部１０１は直前に視聴していたデジタル放送のチャンネル例えばスポーツ中継放送を選局している。
【００３０】
　この結果、モニタ部１１１の画面左側（主画面）に水平方向の表示サイズが画面全体の３／４でアスペクト比１６：９のＤＶＤの映像が、同右側（副画面）に水平方向の表示サイズが画面全体の１／４でアスペクト比４：３のデジタル放送の受像映像が表示される。
【００３１】
　ここで、視聴中のデジタル放送のチャンネルを送出しているＴＳ上に緊急放送の送出が開始され、緊急放送情報取得部１０５が緊急放送情報の有無を検出し、且つ緊急放送に係る文字スーパーが存在している場合、文字スーパー生成部１０６がＯＳＤ表示用文字列を生成して、ＯＳＤ重畳部１０７より主力された文字スーパー付きの受像映像が主映像処理部１０８、映像合成部１１０の処理を経て出力される。そのとき、モニタ部１１１は図２（ａ）となる。
【００３２】
　従来技術により構成されたデジタル放送受信装置においては図２（ａ）と同じ画面状態となり、文字スーパーが小さく見辛くなってしまう。そこで、本発明のデジタル受信装置の特徴部分である、緊急放送情報に基づいた画面の表示サイズ若しくはアスペクト比の制御処理を施すことにより、例えば、画面制御部１１６が、主映像処理部１０８に対し、表示サイズが画面全体の３／４でアスペクト比が１６：９の映像、副映像処理部１０９に対し、表示サイズが画面全体の１／４でアスペクト比４：３の映像を表示するよう指示を出す。また、映像合成部１１０に対し、主映像を画面右側（副画面）に、副映像を画面左側（主画面）に多画面表示するよう指示を出す。その結果、文字スーパー付きの受像映像が拡大されてモニタ部１１１の画面上に表示され、大幅に見易さを向上させる。そのとき、モニタ部１１１は図２（ｂ）となる。
（３）引用文献５
　同じく原査定において引用された引用文献５である特開２０１１−２０５７０９号公報には、「映像受信装置および表示出力方法」（発明の名称）に関し、図面と共に次に掲げる事項が記載されている。
【０００８】
　本発明にかかる映像受信装置は、所定の情報が取得可能であることを通知するためのイベント通知を受信するイベント通知受信手段と、映像情報を受信する映像情報受信手段と、前記イベント通知が受信された場合に、前記所定の情報の表示又は非表示を指示するための情報を含むポップアップ表示情報を表示装置に表示させる第１の表示制御手段と、前記イベント通知が受信された場合に、このイベント通知に含まれる、前記所定の情報の重要度を示すイベントタイプを判別するイベントタイプ判別手段と、前記判別されたイベントタイプに基づいて、前記所定の情報及び前記映像情報の表示形態をそれぞれ設定する表示形態設定手段と、前記所定の情報の表示を指示された場合に、前記表示形態を設定された前記所定の情報及び前記映像情報のうちの少なくとも前記所定の情報を前記表示装置に表示させる第２の表示制御手段と、を備えている。
【００４９】
　ユーザがポップアップ表示４２を見て、サーバ１３が提供する情報を閲覧しようとするとき、上述のようにDTV１０はイベント通知のイベントタイプの情報に基づいて表示部１２０に表示する放送番組画面４１とブラウザ画面４３のレイアウト（各画面の配置、大きさ、有り／無し）を決定する。
【００５３】
　図６は本実施形態におけるイベント通知に含まれるイベントタイプが警報（alert）である場合の表示部１２０の表示の一例を示す図である。
【００５４】
　ここでは表示部１２０には放送番組画面４１及びブラウザ画面４３が表示されており、ブラウザ画面４３は放送番組画面４１より大きく表示されている。これによりユーザはこのサーバ１３からの提供情報がある程度重要であることを一見して把握することができ、ブラウザ画面が大きめに表示されているためWebページの内容を把握しやすい（可視性がよい）。
【００５５】
　図７は本実施形態におけるイベント通知に含まれるイベントタイプが確認（notice）である場合の表示部１２０の表示の一例を示す図である。
【００５６】
　ここでは表示部１２０には放送番組画面４１及びブラウザ画面４３が表示されており、ブラウザ画面４３は放送番組画面４１より小さく表示されている。これによりユーザはこのサーバ１３からの提供情報があまり重要でないことを一見して把握することができる。
２．引用発明
　上記引用文献１に記載された発明について検討する。
（１）引用文献１の段落０００５，００３３，００３８の記載によれば、引用文献１には、『パーソナルコンピュータにおいて、映像の表示領域でない黒帯部分に番組情報を表示する番組情報表示方法』に関する発明が記載されている。
（２）引用文献１の段落００３８〜００４０の記載によれば、引用文献１の『番組情報表示方法』は、『デジタル放送信号に含まれるディスプレイエクステンション情報に基づいて映像信号のサイズを特定し、放送信号のうち、特定した映像信号以外の部分を黒帯部分と判定』することで、『放送信号に黒帯部分が含まれていることを判定』するものであり、さらに、段落００４５，００４６の記載によれば、判定される『黒帯部分』は、『表示画面の上下左右に表示される黒帯部分』である。
　これらの事項及び図２，図３を参酌すると、引用文献に記載される技術事項は、表示画面に表示されるデジタル放送信号のサイズとデジタル放送信号に含まれる映像信号のサイズが異なる場合には、表示画面に表示されるデジタル放送信号の上下左右に黒帯部分が含まれ、その黒帯部分が存在することを判定するというものと認定できる。
　すなわち、引用文献１の『番組情報表示方法』は、『表示画面に表示されるデジタル放送信号のサイズと映像信号のサイズに基づいて表示画面の上下左右に表示される黒帯部分の存在を判定』するものといえる。
（３）引用文献１の段落００５０〜００５３の記載によれば、引用文献１の『番組情報表示方法』は、『上下（左右）部分に黒帯部分が存在する場合に、表示画面の上部あるいは下部（左部あるいは右部）に黒帯部分をまとめ』て表示するものであり、『表示画面の上部あるいは下部（左部あるいは右部）にまとめられた黒帯部分と放送番組とを表示画面に表示』する。
（４）引用文献１の段落００４５，００４６，００５４，００５５の記載によれば、引用文献１の引用文献１の『番組情報表示方法』は、『番組情報をまとめられた黒帯部分に表示させるかどうか、どのまとめられた黒帯部分にどの情報を表示させるかをユーザにより設定』する。
（５）まとめ
　上記（１）ないし（４）によると、引用文献１には下記の発明（以下「引用発明」という。）が記載されていると認められる。
（引用発明）
（ａ）パーソナルコンピュータにおいて、映像の表示領域でない黒帯部分に番組情報を表示する番組情報表示方法であって、
（ｂ）表示画面に表示されるデジタル放送信号のサイズと映像信号のサイズに基づいて表示画面の上下左右に表示される黒帯部分の存在を判定し、
（ｃ）上下（左右）部分に黒帯部分が存在する場合に、表示画面の上部あるいは下部（左部あるいは右部）に黒帯部分をまとめ、
（ｄ）表示画面の上部あるいは下部（左部あるいは右部）にまとめられた黒帯部分と放送番組とを表示画面に表示し、
（ｅ）番組情報をまとめられた黒帯部分に表示させるかどうか、どのまとめられた黒帯部分にどの情報を表示させるかをユーザにより設定する
（ｆ）番組情報表示方法。
３．引用文献４及び引用文献５に記載された技術事項
（１）引用文献４
　上記１．（２）の記載によれば、引用文献４には、水平方向の表示サイズが画面全体の１／４の画面右側（副画面）に表示される主画像であるデジタル放送の受像画像に緊急放送情報に係る文字スーパーが存在した時に、その画面右側（副画面）の受像画像の表示サイズを画面全体の３／４に変更し、一方の画面左側（主画面）の水平方向の表示サイズが画面全体の３／４の副画像であるＤＶＤの映像を、画面全体の１／４の表示サイズに変更する技術が記載されている。
（２）引用文献５
　上記１．（３）の記載によれば、引用文献５には、表示部に映像情報（放送番組画面）と所定の情報（ブラウザ画面）を表示する際に、所定の情報の重要度に応じて、所定の情報が警報である場合には、所定の情報（ブラウザ画面）を映像情報（放送番組画面）より大きく表示し、所定の情報が確認である場合には、所定の情報（ブラウザ画面）を映像情報（放送番組画面）より小さく表示する技術が記載されている。
４．対比
　本願発明と引用発明とを対比する。
（１）本願発明の構成（Ａ）及び（Ｈ）と引用発明の構成（ａ）及び（ｆ）との対比
　引用発明の「パーソナルコンピュータにおいて、映像の表示領域でない黒帯部分に番組情報を表示する番組情報表示方法」は、コンピュータにより番組情報の表示が実施されるものであり、本願発明の「コンピュータにより実施される方法」と相違しない。
（２）本願発明の構成（Ｂ）と引用発明の構成（ｂ）との対比
　本願発明は、「生成される表示のアスペクト比」と「第１のコンテンツのアスペクト比」を比較するものであり、引用発明は「表示画面に表示されるデジタル放送信号のサイズ」と「映像信号のサイズ」を比較するものである。
　まず、本願発明の「生成される表示のアスペクト比」について検討すると、本願明細書の段落００１０〜００１３に記載される「
用語の定義
　一方、それに対応する引用発明の構成は「表示画面に表示されるデジタル放送信号のサイズ」である。
　ここで、引用発明の「表示画面に表示されるデジタル放送信号」は、ディスプレイ画面に表示される出力ビデオ信号と同様のものであるから、本願発明の「生成される表示」に相当するものである。また、引用発明の「サイズ」及び本願発明の「アスペクト比」は、共に表示の『大きさに係る情報』といえる。
　そうすると、引用発明の「表示画面に表示されるデジタル放送信号のサイズ」と本願発明の「生成される表示のアスペクト比」は、『生成される表示の大きさに係る情報』という点で一致する。
　次に、本願発明の「第１のコンテンツのアスペクト比」について検討すると、それに対応する引用発明の構成は「映像信号のサイズ」である。
　ここで「映像信号」はコンテンツといえ、それを第１のコンテンツと称することは任意のことであるから、『第１のコンテンツ』といえる。
　そうすると、両者は『第１のコンテンツの大きさに係る情報』という点で一致する。
　また、引用発明は、表示画面に表示されるデジタル放送信号のサイズと映像信号のサイズに基づいて表示画面の上下左右に表示される黒帯部分の存在を判定」するものであるが、その「表示画面の上下左右に表示される黒帯部分」は、本願発明の「複数の未利用領域」に相当するものである。
　さらに、引用発明は、上記２つの大きさに係る情報から表示画面の黒帯部分の存在を判定しているのであるから、２つの大きさに係る情報の「差異」に基づいて表示画面の黒帯部分の存在を判定しているものといえる。
　よって、引用発明は、本願発明と、上記２つの大きさに係る情報の「差異の少なくとも１つに基づいて複数の未利用領域を検出する」ものである点で一致する。
　以上のことから、引用発明は、本願発明と、「生成される表示の大きさに係る情報と第１のコンテンツの大きさに係る情報の差異の少なくとも１つに基づいて複数の未利用領域を検出するステップ」を有している点で一致する。
　ただし、当該ステップの「大きさに係る情報」に関し、本願発明は、「アスペクト比」であるのに対し、引用発明は、「サイズ」である点で、両者は相違する。
（３）本願発明の構成（Ｃ）と引用発明の構成（ｃ）との対比
　引用発明は「上下（左右）部分に黒帯部分が存在する場合に、表示画面の上部あるいは下部（左部あるいは右部）に黒帯部分をまとめ」るものであり、黒帯部分が存在することを検出したことに基づいて、上下（左右）の黒帯部分を統合して統合領域を形成しているといえ、本願発明の「前記検出に基づいて、前記複数の未利用領域を統合して統合領域を形成するステップ」と相違しない。
（４）本願発明の構成（Ｄ）と引用発明の構成（ｄ）との対比
　引用発明は「表示画面の上部あるいは下部（左部あるいは右部）にまとめられた黒帯部分と放送番組を表示画面に表示」するものであり、表示画面に、まとめられた黒帯部分と放送番組を表示するものであるから、そのような表示のために出力ビデオ信号を生成していることは明らかである。
　そして、表示画面に表示される「放送番組」は、引用発明の構成（ｂ）のサイズが特定された映像信号からなる放送番組が表示される領域であることは明かであり、本願発明の「第１のコンテンツに関連する第１のコンテンツ領域」に相当するものである。
　すなわち、引用発明は「前記統合領域と、前記第１のコンテンツに関連する第１のコンテンツ領域とを有する出力ビデオ信号を生成するステップ」を有するといえ、本願発明と相違しない。
（５）本願発明の構成（Ｅ）及び（Ｆ）と引用発明の構成（ｅ）との対比
　まず、本願発明の「ルール」について確認すると、本願明細書の段落００１８に記載される「
用語の定義
　一方、引用発明は「番組情報をまとめられた黒帯部分に表示させるかどうか、どのまとめられた黒帯部分にどの情報を表示させるかをユーザにより設定する」ものであり、まとめられた黒帯部分に番組情報を表示するか否か、まとめられた黒帯部分にどのような番組情報を表示するかという決まりをユーザが設定可能にしているから、少なくとも１つのルールが定義されているといえる。
　そして、その設定されたルールに基づいて、まとめられた黒帯部分に番組情報を表示するものである。
　ここで、表示される番組情報は、コンテンツといえ、放送番組の映像信号とは異なるコンテンツであるから、そのコンテンツを第２のコンテンツと称することは任意である。
　以上のことから、引用発明は「前記統合領域の利用に関連する１又はそれ以上のルールを定義するステップ」と、「前記１又はそれ以上のルールに基づいて、前記統合領域に第２のコンテンツを関連付けるステップ」を有するといえ、その点で本願発明と相違しない。
（６）本願発明の構成（Ｇ）について
　引用発明は「前記第２のコンテンツに関連する前記統合領域のサイズに基づいて、前記第１のコンテンツ領域のサイズをスケール調整するステップ」を有していない点で、本願発明と相違する。
（７）まとめ
　以上（１）ないし（６）の対比結果を踏まえると、本願発明と引用発明との一致点及び相違点は、次のとおりである。
［一致点］
　コンピュータにより実施される方法であって、
　生成される表示の大きさに係る情報と第１のコンテンツの大きさに係る情報の差異の少なくとも１つに基づいて複数の未利用領域を検出するステップと、
　前記検出に基づいて、前記複数の未利用領域を統合して統合領域を形成するステップと、
　前記統合領域と、前記第１のコンテンツに関連する第１のコンテンツ領域とを有する出力ビデオ信号を生成するステップと、
　前記統合領域の利用に関連する１又はそれ以上のルールを定義するステップと、
　前記１又はそれ以上のルールに基づいて、前記統合領域に第２のコンテンツを関連付けるステップと、
を含むことを特徴とする方法。
［相違点１］
　「複数の未利用領域を検出するステップ」の「大きさに係る情報」に関し、本願発明は、「アスペクト比」であるのに対し、引用発明は、「サイズ」である点。
［相違点２］
　本願発明は、「前記第２のコンテンツに関連する前記統合領域のサイズに基づいて、前記第１のコンテンツ領域のサイズをスケール調整するステップ」を有しているのに対し、引用発明は、そのような特定はなされていない点。
５．判断
（１）相違点１について
　　表示画面の具体的なサイズと映像信号の具体的なサイズの差異に因らずとも、表示画面のアスペクト比と映像信号のアスペクト比に差異があれば、表示画面に黒帯部分を付加する必要があることは当該技術分野においては周知の事項である。
　そうすると、引用発明の表示画面と映像信号の「サイズ」の差異の少なくとも１つに基づいて複数の未利用領域を検出するものを、を「アスペクト比」の差異の少なくとも１つに基づいて複数の未利用領域を検出するもとすることは、当業者が容易になし得ることである。
（２）相違点２について
　表示画面に２つのコンテンツを領域分割して表示する技術において、一方のコンテンツの情報が重要である場合に、重要なコンテンツの画面のサイズを大きくして、それに伴い、他方のコンテンツの画面のサイズを小さくして重要な画面を見やすくすること、すなわち重要なコンテンツの画面のサイズに基づいて、他方のコンテンツの画面のサイズをスケール調整する技術は、上記３．に示した引用文献４及び引用文献５に開示されているように周知の技術である。
　したがって、引用発明に上記周知の技術を適用し、引用発明の表示画面にまとめられた黒帯部分に表示される番組情報と放送番組の２つのコンテンツが表示されている状態において、まとめられた黒帯部分に表示される番組情報に起因してそのまとめられた黒帯部分のサイズを変更し、そのサイズに基づいて放送番組のサイズをスケール調整する機能を設けることは、当業者が容易になし得ることであり、そうすることによって、相違点２に係る「前記第２のコンテンツに関連する前記統合領域のサイズに基づいて、前記第１のコンテンツ領域のサイズをスケール調整するステップ」を設けることは、当業者が容易に想到できることである。
（３）効果等について
　本願発明の構成は、上記のように当業者が容易に想到できたものであるところ、本願発明が奏する効果は、その容易想到である構成から当業者が容易に予測しうる範囲内のものであり、同範囲を超える格別顕著なものがあるとは認められない。
（４）まとめ
　以上のとおりであるから、本願発明は、引用文献１に記載された発明及び引用文献４，５に記載された周知技術に基づいて、当業者が容易に発明をすることができたものである。
第４　むすび
　以上のように、本願の請求項７に係る発明は、引用文献１記載された発明及び引用文献４，５に記載された周知技術に基づいて当業者が容易に発明をすることができたものであるから、特許法第２９条第２項の規定により特許を受けることができない。
　したがって、本願は、その余の請求項について論及するまでもなく、拒絶をすべきものである。
　よって、結論のとおり審決する。